(57)【要約】      （修正有）【課題】ブラシヘッドが他の用途のブラシヘッドに変更可能なブラシ用具構造を提供する。【解決手段】ブラシ柄３０と、位置決め部３１と、ブラシヘッド４０と、固定用ナット５とで構成される。ブラシ柄の下端からは位置決め部が延出され、位置決め部には穴部３１０が開設され、位置決め部の底部には２つの位置決め溝３１１が形成され、ブラシヘッドにはスタッド４０１が設置される。また、スタッドの二側には係止棒４０２が各々設置され、ブラシヘッドが偏移して回転するのを防止させる。装設においては、スタッドを穴部に貫通させた後、ナットをスタッド上で回転させて固定させるのみで、ブラシ用具の装設が完成する。このほか、使用者がブラシ用具を異なる様々な用途及び需要に応用する場合、ブラシヘッドを最適なブラシヘッドに交換するのみで使用可能である。 【選択図】図３
0003201733.tif 000002
【実用新案登録請求の範囲】
【請求項１】
主にブラシ柄と、位置決め部と、ブラシヘッドと、蝶ナットである固定用ナットとで構成されるブラシヘッドを変更可能なブラシ用具構造であって、前記ブラシ柄の位置決め部には穴部が開設され、且つ位置決め部の底部には２つの位置決め溝が形成され、前記ブラシヘッドにはスタッドが設置され、且つスタッドの二側には係止棒が各々設置されると共に位置決め部の底部に係止される位置決め溝に組み合わせられ、ブラシヘッドが偏移して回転するのを防止させることを特徴とするブラシヘッドを変更可能なブラシ用具構造。
【請求項２】
前記ブラシヘッドは異なる様々な場所及び需要に応じて使用され、ブラシ柄とは分離されると共に他の用途のブラシヘッドに変更可能であり、固定用ナットにより螺合されることを特徴とする、請求項１に記載のブラシヘッドを変更可能なブラシ用具構造。
【考案の詳細な説明】
【技術分野】
【０００１】
本考案は、ブラシヘッドを変更可能なブラシ用具構造に関し、主にブラシ柄の位置決め部に穴部が開設され、且つ底部に２つの位置決め溝が形成され、ブラシヘッドにスタッドが設置されると共にナットに組み合わされて螺合され、スタッドの二側には係止棒が各々設置され、位置決め部の底部に係止される位置決め溝に組み合わせられ、ブラシヘッドが偏移して回転するのを防ぐ。
【背景技術】
【０００２】
一般的な従来のブラシ用具の用途は多種にわたり、よくある使用用途としては便器を磨くトイレブラシがある。図１は従来のトイレブラシを示す外観斜視図である。前述の初期のトイレブラシ１は、主にブラシ柄１０を有し、且つブラシ柄１０の下端にはブラシ１００が直接植設され、円弧状のブラシ部１０１が形成される。
【０００３】
このほか、更なる他のトイレブラシ２（図２参照）では、同様にブラシ柄２０を有し、ブラシ柄２０の下端にはブラシヘッド２１が連結され、ブラシヘッド２１の下方にはブラシ２１１が植設される。
【考案の概要】
【考案が解決しようとする課題】
【０００４】
しかしながら、前述した従来の技術では、上述のどの従来のトイレブラシであっても、同様の欠点が存在する。即ち、ブラシを長期間使用すると、ブラシが花が開いたように広がってしまい、歯ブラシを長期間使用したのと同じようになり、新しいものに交換せねばならない。ブラシヘッドを取り外して新しいものに交換できないため、トイレブラシを長期間使用した後には全てを新しいものに交換せねばならない。
【０００５】
また、一般的なブラシ用具は、通常単一の用途のブラシ用具として製造される。例えば、便器用、床用、壁用、浴室用等があり、このため、ブラシヘッドを随意交換して使用することができない。そこで、本考案者は上記の欠点が改善可能と考え、鋭意検討を重ねた結果、合理的かつ効果的に課題を改善する本考案の提案に到った。  
【０００６】
本考案は、このような従来の問題に鑑みてなされたものであり、その目的とすることろは、ブラシヘッドを変更可能なブラシ用具構造を提供する。
【課題を解決するための手段】
【０００７】
上述した課題を解決し、目的を達成するために、本考案に係るブラシヘッドを変更可能なブラシ用具構造は、特にブラシヘッドを他の用途のブラシヘッドに変更可能なブラシ用具構造を指し、主にブラシ柄と、位置決め部と、ブラシヘッドと、固定用ナットとで構成される。前記ブラシ柄の下端からは位置決め部が延出され、位置決め部には穴部が開設され、且つ位置決め部の底部には２つの位置決め溝が形成され、前記ブラシヘッドにはスタッドが設置される。また、スタッドの二側には係止棒が各々設置され、位置決め部の底部に係止される位置決め溝に組み合わせられ、ブラシヘッドの偏移を防止させる。
【０００８】
装設においては、ブラシヘッドのスタッドを位置決め部の穴部に貫通させた後、固定用ナットをスタッドの上面で回して下に回転させることで固定させるのみで、ブラシ用具の装設が完成する。
【０００９】
然しながら、スタッド及び固定用ナットを利用してブラシヘッドを固定させる方式では、力を入れるとブラシヘッドが緩んで偏移することがある。このため、本考案ではスタッドの二側に係止棒が各々設置され、位置決め溝に組み合わせられて係止され、ブラシヘッドの偏移の防止を強化させる。
【００１０】
このほか、使用者がブラシ用具を異なる様々な用途及び需要に応用する場合(例えば、便器、床、浴槽、壁等の用途)、ブラシヘッドを最適なブラシヘッドに変更して使用できるため、本考案は極めて好ましい進歩性を有し、非常に理想的である。
【図面の簡単な説明】
【００１１】
【図１】従来のトイレブラシを示す外観斜視図である。
【図２】従来の他のトイレブラシを示す外観斜視図である。
【図３】本考案のブラシ用具を示す展開図である。
【図４】本考案が組立された斜視図である。
【図５】本考案のブラシヘッド及び位置決め部を示す側面図である。
【図６】本考案の他の実施形態を示す図である。
【図７】本考案のさらなる他の実施形態を示す図である。
【考案を実施するための形態】
【００１２】
以下に図面を参照して、本考案を実施するための形態について、詳細に説明する。なお、本考案は、以下に説明する実施形態に限定されるものではない。
【実施形態】
【００１３】
図３は本考案のブラシ用具を示す展開図であり、前記ブラシ用具３は主にブラシ柄３０と、位置決め部３１と、ブラシヘッド４０と、固定用ナット５とで構成される。前記固定用ナット５は蝶ナットであり、前記ブラシ柄３０の下端からは位置決め部３１が延出され、位置決め部３１には穴部３１０が開設され、且つ位置決め部３１の底部には２つの位置決め溝３１１が形成され、前記ブラシヘッド４０にはスタッド４０１が設置される。また、スタッド４０１の二側には係止棒４０２が各々設置され、位置決め部３１の底部に係止される位置決め溝３１１に組み合わせられ、ブラシヘッドの偏移を防止させる。
【００１４】
装設においては（図３参照）、ブラシヘッド４０のスタッド４０１を位置決め部３１の穴部３１０に貫通させた後、固定用ナット５をスタッド４０１の上面で回して下に回転させて固定させるのみで、ブラシ用具３の装設が完成する（図４参照）。然しながら、スタッド４０１及び固定用ナット５を利用してブラシヘッド４０を固定させる方式では、力を掛けるとブラシヘッド４０が緩んで偏移してしまう場合がある。このため、本考案ではスタッド４０１の二側に係止棒４０２が各々設置され、位置決め溝３１１に組み合わせられて係止されることで（図５参照）、ブラシヘッド４０が偏移するのを防止させる。
【００１５】
このほか、使用者がブラシ用具３を異なる様々な場所及び需要に応用する場合(例えば、便器、床、浴槽、壁等の用途)、或いはブラシ用具３を清掃が必要な場所に使用する場合、本来のブラシヘッド４０をブラシ柄３０の位置決め部３１から分離させ、ブラシヘッド４０を最適なブラシヘッド４０に変更して使用し(図６及び図７参照)、固定用ナット５により螺合させる。これらのブラシヘッド４０はスタッド４０１及び係止棒４０２等の構造を有し、固定用ナット５に組み合わせられて固定される。然しながら、異なる点はブラシヘッド４０が異なっている点のみであり、本考案は極めて好ましい進歩性を有し、非常に理想的である。
【００１６】
以上を総合すると、本考案に係るブラシ用具構造は、主にブラシ柄の下端から置決め部が延出され、且つ位置決め部には穴部が開設され、底部には２つの位置決め溝が形成され、ブラシヘッドにはスタッドが設置され、且つスタッドの二側には係止棒が各々設置されることで、従来のブラシ用具ではブラシヘッドを変更できなかったという欠点を克服させる。
【００１７】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１８】
（従来の技術）
１  トイレブラシ
１０  ブラシ柄
１００  ブラシ
１０１  ブラシ部
２  トイレブラシ
２０  ブラシ柄
２１  ブラシヘッド
２１１  ブラシ
（本考案）
３  ブラシ用具
３０   ブラシ柄
３１  位置決め部
３１０  穴部
３１１  位置決め溝
４０  ブラシヘッド
４０１  スタッド
４０２  係止棒
５  固定用ナット
【図１】
0003201733.tif 000003
【図２】
0003201733.tif 000004
【図３】
0003201733.tif 000005
【図４】
0003201733.tif 000006
【図５】
0003201733.tif 000007
【図６】
0003201733.tif 000008
【図７】
0003201733.tif 000009